(57)【要約】【課題】脂肪の状態を再現性良く高精度に測定することができる光式脂肪測定装置、光式脂肪測定方法を提供する。【解決手段】生体表面１に、生体表面１下の皮下脂肪２がそれ以上変形しない程度の圧力を印加し、前記圧力が印加された部位を含む前記生体表面上に配置される単数または複数の光源部６、および前記圧力が印加された部位を含む前記生体表面上に、前記光出射部と所定の距離を置いて配置される単数または複数の受光部を有する成形部３と、光を出射するための単数または複数の光源素子と、光を受光するための計測用受光素子８および補正用受光素子９と、前記受光素子の光の受光量に基づき、前記生体の皮下脂肪２の状態を演算する演算部１０とを備えた光式脂肪測定装置。【選択図】  図１
2004350836.tif 000002
【特許請求の範囲】
【請求項１】
生体表面に、前記生体表面下の脂肪がそれ以上変形しない程度の圧力を印加する圧力印加手段、前記圧力が印加された部位を含む前記生体表面上に配置される単数または複数の光出射部、および前記圧力が印加された部位を含む前記生体表面上に、前記光出射部と所定の距離を置いて配置される単数または複数の光入射部を有する脂肪測定用接触子と、
前記光出射部から光を出射するための単数または複数の光源と、
前記光入射部から光を受光するための単数または複数の受光部と、
前記受光部の光の受光量に基づき、前記生体の脂肪の状態を演算する演算手段とを備えた光式脂肪測定装置。
【請求項２】
前記生体の脂肪の状態は、脂肪厚または脂肪率である請求項１に記載の光式脂肪測定装置。
【請求項３】
前記演算部は、前記受光量が規定範囲内に安定しているかどうかを判定し、前記規定範囲内で安定している受光量に基づき、前記演算を行う請求項１に記載の光式脂肪測定装置。
【請求項４】
前記脂肪測定用接触子は、前記生体表面と面接触する第１の接触面を有する成形部を有し、
前記光出射部および光入射部は、前記第１の接触面上に設けられている請求項１に記載の光式脂肪測定装置。
【請求項５】
前記第１の接触面は、実質一様な平面である請求項４に記載の光式脂肪測定装置。
【請求項６】
前記第１の接触面は、少なくとも一対の前記光入射部と前記光出射部との間に設けられた凸部を有する請求項４に記載の光式脂肪測定装置。
【請求項７】
前記光入射部は、前記凸部の主面上にも設けられている請求項６に記載の光式脂肪測定装置。
【請求項８】
前記成形部は、前記第１の接触面の周囲に設けられ、前記第１の接触面と段差を有する、前記生体表面と接触する第２の接触面を有する請求項４から６のいずれかに記載の光式脂肪測定装置。
【請求項９】
前記第２の接触面は、前記第１の接触面と平行である請求項８に記載の光式脂肪測定装置。
【請求項１０】
前記脂肪測定用接触子の前記圧力印加手段は、前記脂肪測定用接触子そのものであって、
前記圧力は、前記脂肪測定用接触子の自重である請求項１に記載の光式脂肪測定装置。
【請求項１１】
前記脂肪測定用接触子の、少なくとも前記第１の接触面および／または前記第２の接触面は遮光性を有する請求項４または８に記載の光式脂肪測定装置。
【請求項１２】
生体表面に、前記生体表面下の脂肪がそれ以上変形しない程度の圧力を印加する工程と、
前記圧力が印加された部位を含む前記生体表面上の単数または複数の部位から光を出射する工程と、
前記圧力が印加された部位を含む前記生体表面上であって、前記光が出射される部位と所定の距離を置いた、単数または複数の部位から光を受光する工程と、
前記受光した光の受光量に基づき、前記生体の脂肪の状態を演算する工程とを備えた光式脂肪測定方法。
【請求項１３】
前記生体の脂肪の状態は、脂肪厚または脂肪率である請求項１２に記載の光式脂肪測定方法。
【請求項１４】
前記演算の工程を、前記受光量が規定範囲内に安定しているかどうかを判定し、前記規定範囲内で安定している受光量に基づくことにより行う請求項１２に記載の光式脂肪測定方法。
【請求項１５】
少なくとも前記出射の工程において、前記光が出射される位置と前記受光工程において前記光が受光される位置の周囲を遮光する工程を更に備えた請求項１２に記載の脂肪測定方法。
【請求項１６】
前記光が出射される部位と前記光が入射される部位との間の少なくとも一部の部分を、他の部位より深く変形させる工程を備えた請求項１２に記載の光式脂肪測定方法。
【請求項１７】
前記光が出射される部位と前記光が入射される部位とを含む一部分を、前記圧力が印加された部位より深く変形させる工程を備えた請求項１２に記載の光式脂肪測定方法。
【発明の詳細な説明】
【０００１】
【発明の属する技術分野】
本発明は、脂肪の状態を光学式に測定することができる光式脂肪測定装置及び光式脂肪測定方法に関する。
【０００２】
【従来の技術】
図１３に、従来の技術による光式脂肪測定装置を示す（例えば、特許文献１を参照）。図に示すように、光式脂肪測定装置は、生体表面１に接触する脂肪測定用接触子１３１と、脂肪測定用接触子１３１に内蔵された光源１３２と、複数の受光素子１３３ａ〜１３３ｄと、光源１３２の光量を制御する光量制御回路１３４、受光素子１３３ａ〜１３３ｄをいずれかの切替を行うとともに、切り替えられた受光素子から得られた信号を増幅器１３６へ出力する切替回路１３５と、切替回路１３５からの出力を増幅する増幅器１３６と、増幅器１３６の信号をＡ／Ｄ変換するＡ／Ｄ変換回路１３７と、ユーザが測定のための入力を行うための入力部１３８と、入力部１３８からの情報またはＡ／Ｄ変換回路１３７からの信号を処理し、光量制御回路１３４、切替回路１３５および表示部１４０を制御するＣＰＵ１３９と、ＣＰＵ１３９が処理する各種情報を表示する表示部１４０とを備えている。
【０００３】
このような光式脂肪測定装置によれば、生体表面１に配置された光源１３２から、皮下脂肪２、筋肉５等からなる生体内部に入射した光のうち、生体内部で散乱、吸収されながら伝播して再び生体表面にあらわれた光１４１，１４２等を受光素子１３３ａ〜１３３ｄを選択的に用いて受光し、この受光した光に基づいて、ＣＰＵ１３９等により生体内部の皮下脂肪２の厚みを測定することができる。
【０００４】
【特許文献１】
特開２０００−１５５０９１号公報
【０００５】
【発明が解決しようとする課題】
しかしながら、上記従来の脂肪測定装置においては、生体組織１の中でも柔らかい皮下脂肪２は外力により変形しやすい。したがって、脂肪測定用接触子１３１を生体表面１にそっと載せるだけでも生体表面１は変形し、測定ごとに、皮下脂肪２の厚みは変動してしまう。そのため測定再現性が悪化していた。この問題点は、特に皮下脂肪２が厚い場合に顕著であった。
【０００６】
また、皮下脂肪２が厚くなると、受光素子１３３ａ〜１３３ｄの受光量はだんだん飽和し、ある程度以上の厚い皮下脂肪は測れないという問題点があった。
【０００７】
そこで本発明は上記従来の問題点に鑑み、皮下脂肪等の脂肪の状態を再現性良く高精度に測定することができ、さらにより厚い脂肪まで測定することができる光式脂肪測定装置及び光式脂肪測定方法を提供することを目的とする。
【０００８】
【発明を解決するための手段】
上記の目的を達成するために、第１の本発明は、生体表面に、前記生体表面下の脂肪がそれ以上変形しない程度の圧力を印加する圧力印加手段、前記圧力が印加された部位を含む前記生体表面上に配置される単数または複数の光出射部、および前記圧力が印加された部位を含む前記生体表面上に、前記光出射部と所定の距離を置いて配置される単数または複数の光入射部を有する脂肪測定用接触子と、
前記光出射部から光を出射するための単数または複数の光源と、
前記光入射部から光を受光するための単数または複数の受光部と、
前記受光部の光の受光量に基づき、前記生体の脂肪の状態を演算する演算手段とを備えた光式脂肪測定装置
である。
【０００９】
また、第２の本発明は、前記生体の脂肪の状態は、脂肪厚または脂肪率である第１の本発明の光式脂肪測定装置である。
【００１０】
また、第３の本発明は、前記演算部は、前記受光量が規定範囲内に安定しているかどうかを判定し、前記規定範囲内で安定している受光量に基づき、前記演算を行う第１の本発明の光式脂肪測定装置である。
【００１１】
また、第４の本発明は、前記脂肪測定用接触子は、前記生体表面と面接触する第１の接触面を有する成形部を有し、
前記光出射部および光入射部は、前記第１の接触面上に設けられている第１の本発明の光式脂肪測定装置である。
【００１２】
また、第５の本発明は、前記第１の接触面は、実質一様な平面である第４の本発明の光式脂肪測定装置である。
【００１３】
また、第６の本発明は、前記第１の接触面は、少なくとも一対の前記光入射部と前記光出射部との間に設けられた凸部を有する第４の本発明の光式脂肪測定装置である。
【００１４】
また、第７の本発明は、前記光入射部は、前記凸部の主面上にも設けられている第６の本発明の光式脂肪測定装置である。
【００１５】
また、第８の本発明は、前記成形部は、前記第１の接触面の周囲に設けられ、前記第１の接触面と段差を有する、前記生体表面と接触する第２の接触面を有する第４から第６のいずれかの本発明の光式脂肪測定装置である。
【００１６】
また、第９の本発明は、前記第２の接触面は、前記第１の接触面と平行である第８の本発明の光式脂肪測定装置である。
【００１７】
また、第１０の本発明は、前記脂肪測定用接触子の前記圧力印加手段は、前記脂肪測定用接触子そのものであって、
前記圧力は、前記脂肪測定用接触子の自重である第１の本発明の光式脂肪測定装置である。
【００１８】
また、第１１の本発明は、前記脂肪測定用接触子の、少なくとも前記第１の接触面および／または前記第２の接触面は遮光性を有する第４または第８の本発明の光式脂肪測定装置である。
【００１９】
また、第１２の本発明は、生体表面に、前記生体表面下の脂肪がそれ以上変形しない程度の圧力を印加する工程と、
前記圧力が印加された部位を含む前記生体表面上の単数または複数の部位から光を出射する工程と、
前記圧力が印加された部位を含む前記生体表面上であって、前記光が出射される部位と所定の距離を置いた、単数または複数の部位から光を受光する工程と、
前記受光した光の受光量に基づき、前記生体の脂肪の状態を演算する工程とを備えた光式脂肪測定方法である。
【００２０】
また、第１３の本発明は、前記生体の脂肪の状態は、脂肪厚または脂肪率である第１２の本発明の光式脂肪測定方法である。
【００２１】
また、第１４の本発明は、前記演算の工程を、前記受光量が規定範囲内に安定しているかどうかを判定し、前記規定範囲内で安定している受光量に基づくことにより行う第１２の本発明の光式脂肪測定方法である。
【００２２】
また、第１５の本発明は、前記演算の工程を、前記受光量が規定範囲内に安定しているかどうかを判定し、前記規定範囲内で安定している受光量に基づくことにより行う第１２の本発明の光式脂肪測定方法である。
【００２３】
また、第１６の本発明は、前記光が出射される部位と前記光が入射される部位との間の少なくとも一部の部分を、他の部位より深く変形させる工程を備えた第１２の本発明の光式脂肪測定方法である。
【００２４】
また、第１７の本発明は、前記光が出射される部位と前記光が入射される部位とを含む一部分を、前記圧力が印加された部位より深く変形させる工程を備えた第１２の本発明の光式脂肪測定方法である。
【００２５】
【発明の実施の形態】
以下、図面を用いて、本発明の光式脂肪測定方法及びそれに用いる装置について詳細に説明する。
【００２６】
（実施の形態１）
図１は本発明の実施の形態１における光式脂肪測定装置の構成図であり、図２は同光式脂肪測定装置の成形部３を生体表面１と接する接触面３ａ側から見た上面図である。
【００２７】
皮膚４、皮下脂肪２、筋肉５の３層からなる生体表面１上に、生体表面１を押し下げる方向に成形する成形部３を配置するようにしている。
【００２８】
成形部３内には、光源素子が内蔵された光源部６と、複数の受光部７とが設けられている。受光部７には計測用受光素子８と補正用受光素子９がそれぞれ内蔵されている。計測用受光素子８と光源部６との距離は４５ｍｍであり、補正用受光素子９と光源部６との距離は２２．５ｍｍである。光源部６から出射する光の出射口は直径φ１．５ｍｍであり、計測用受光素子８及び補正用受光素子９の光の入射口はφ１．５ｍｍである。なお、計測用受光素子８と光源部６との距離は３５ｍｍ〜８０ｍｍの間であることが好ましく、補正用受光素子９と光源部６との距離は１５ｍｍ〜３０ｍｍであることが好ましい。
【００２９】
光源部６が点灯したときに、補正用受光素子９において補正用受光量（Ｙ１）が受光され、計測用受光素子８において計測用受光量（Ｙ２）が受光される。ここで、光源部６は光源素子として中心波長が７８５ｎｍのレーザーダイオードを用いている。なお、光源素子は、上記のものに限らず、中心波長が５００ｎｍ〜１０００ｎｍのレーザーダイオードまたはＬＥＤなどを用いれば、皮下脂肪２と筋肉５との光伝搬特性の差を大きくとることができるので好ましい。さらに光源素子から光ファイバーなどの導光部品を用いて生体表面１まで光を導光する構成とすると、光源素子で発生した熱が生体表面１に伝わらないので好ましい。
【００３０】
受光部７の受光素子としてフォトダイオードを用いている。なお、受光素子はＣｄＳなどの光電変換素子でもよい。また、生体表面から受光素子までを光ファイバーなどの導光部品を用いて光を導光する構成としても良い。
【００３１】
また、成形部３は直径６０ｍｍの円盤形状をしており、後述するように所定の重量を有する。生体表面１と接する面は略平面形状にすることで、生体表面１は平面形状に安定し、測定再現性に寄与する。
【００３２】
また、成形部３は遮光のために黒色ＡＢＳでできている。成形部３の材質は光源部６からの光に対して低反射率のものであることで、生体表面１から出射した光が再び生体へもどることを防ぐことができ、受光部７では生体の深い領域を伝搬してきた光のみを受光することができ測定精度が向上する。また、ノイズとなる光源以外からの外乱光を遮光することもでき測定精度が向上する。なお、成形部３は黒色ＡＢＳに限らず、遮光性のある材料なら任意のものを用いて作成してもよい。また、塗装等の処理により、生体表面１と接触する接触面３ａのみに遮光性を与えるようにしてもよい。
【００３３】
さらに成形部３は縁を丸くすることで生体表面１に鋭角な部分があたらない構造とすることで、成形部３を生体表面１に押し当てても、ユーザは縁による痛みを感じない。
【００３４】
演算部１０では、受光部７で得られた受光量に基づき、皮下脂肪２の厚みを算出する。算出された皮下脂肪２の厚みは表示部１１に表示され、通信部１２を通して他の機器にデータとして送られる。
【００３５】
また、入力部１３から直接、または通信部１２を通して他の機器から、身長、体重、年齢、性別、測定部位などのデータを入力することにより、皮下脂肪２の厚みと相関性のある体脂肪率を演算部１０で計算し、表示部１１に表示したり、通信部１２によって他の機器へデータを転送したりすることもできる。
【００３６】
なお、上記の構成において、光源部６は本発明の光出射部、受光部は本発明の光入射部、光源素子は本発明の光源、補正用受光素子９および計測用受光素子８は本発明の受光素子、演算部１０は本発明の演算手段、成形部３は本発明の成形部および脂肪測定用接触子、接触面３ａは本発明の第１の接触面に相当する。
【００３７】
以上のような構成を有する本発明の実施の形態１における光式脂肪測定装置の動作を説明すると共に、これにより、本発明の光式脂肪測定方法の一実施の形態について説明する。
【００３８】
まず、計測原理について説明する。筋肉５と皮下脂肪２とでは光の伝搬特性が大きく異なり、筋肉５ではより吸収傾向が強く、皮下脂肪２ではより散乱傾向が強い。この特性の違いは５００ｎｍ〜１０００ｎｍの波長の光で顕著である。そのため、光源部６より生体表面１から入射した光は皮下脂肪厚が厚いほど皮下脂肪２内で拡散し、深さ方向だけでなく、横方向にも広がる。したがって、この横方向に広がり再び生体表面１に出射した光は皮下脂肪２が厚いほど増加する。
【００３９】
この横方向に広がり再び生体表面１に出射した光を受光部７で受光することにより、皮下脂肪２の厚みが測定できる。
【００４０】
次に計測の手順について説明する。第１の動作として、光源部６が点灯していない状態で、成形部３を、接触面３ａが面接触するように生体表面１に押し当てる。
【００４１】
第２の動作として、受光部７での受光量が１００ｐＷ以下になることで、受光部７全体が生体表面１と接し、生体表面１が押し下げられていると確認されて光源部６が点灯し、光が生体表面１を照射する。
【００４２】
このとき、接触面３ａを介して生体表面１に加えられる圧力の働きにより、皮下脂肪２の厚みは、接触面３ａに対応する部分は、それ以上変形しないまでに一様につぶれて安定している。圧力としては、実質上７ｋＰａ以上であれば、皮下脂肪厚が安定するので好ましい。
【００４３】
第３の動作として、補正用受光素子９に到達した光１４を計測することにより補正用受光量（第１の距離での受光量Ｙ１）が得られ、計測用受光素子８に到達した光１５を計測することにより計測用受光量（第２の距離での受光量Ｙ２）が得られる。
【００４４】
ここで、補正用受光量および計測用受光量の両受光量は成形部３を生体表面１に押し当てる強さや、皮下脂肪２の厚みが変化することにより変動するので、補正用受光量および計測用受光量が安定したかどうかを判定することで、押し当てる強さや、皮下脂肪２の厚みが安定していることを確認する。これにより精度の高い測定が可能となる。
【００４５】
受光量が安定しているかどうかの判定は、サンプリングサイクル１００Ｈｚで各受光素子の受光量毎に計測を行い、２００ｍｓのサンプリング時間における各受光量の最大値と最小値の差が最大値の１０％以内に収まるかどうかを判定することにより行う。なお、心拍の影響と、人の体動の影響を除去するために、サンプリングサイクルは速いほうが良く１００Ｈｚ以上、サンプリング時間は短いほうがよく５００ｍｓ以下であることが好ましい。
【００４６】
次に、演算部１０での皮下脂肪２の厚みの算出方法について説明する。図３に、計測用受光量と皮下脂肪２の厚みとの関係を示す。図３において、白丸が計測用受光量と皮下脂肪２の厚みとの関係を示している。また、点線が１次回帰直線である。
【００４７】
図からわかるように、計測用受光量と皮下脂肪２の厚みとの相関を示す複数の１次回帰直線をあらかじめ求めておき、１次回帰直線と計測用受光量とを用いることにより、皮下脂肪２の厚みを再現性良く高精度に測定することができる。
【００４８】
ところで、計測用受光量には皮膚５の散乱及び吸収のばらつきの影響が誤差要因として含まれている。この皮膚５の影響を補正するために、補正用受光量を用いる。
【００４９】
計測用受光量（第２の距離での受光量Ｙ２）を補正用受光量（第１の距離での受光量Ｙ１）で割ったパラメータＹ２／Ｙ１と皮下脂肪２の厚みとの関係を図４に示す。図４において、白丸がＹ２／Ｙ１と皮下脂肪２の厚みとの関係を示している。また、点線が１次回帰直線である。
【００５０】
図３と比較して、明らかにばらつきは収まり、補正用受光量による補正の効果のあることがわかる。１次回帰直線とＹ２／Ｙ１とを用いることにより、皮膚５の影響及び生体表面に加わる圧力の影響を補正することができるので、皮下脂肪厚をさらに再現性良く高精度に測定することができる。
【００５１】
このように、本実施の形態によれば、接触面３ａを介して生体表面１に加えられる圧力の働きにより、皮下脂肪２の厚みをそれ以上変形しないまでに一様につぶれさせて安定させ、この変形した状態が安定していることを判定した上で測定を行うようにしたことにより、皮下脂肪厚を再現性良く高精度に測定することができる。
【００５２】
なお、以上の説明においては、図１、図２の構成のように光源部６を１つの光源素子、受光部７を計測用受光素子８と補正用受光素子９からなる構成としたが、図５の構成図及び図６の成形部３の上面図に示すように、受光部７を１つの受光素子、光源部６を計測用光源素子１６と補正用光源素子１７からなる構成としてもよい。この場合、補正用光源素子１７が点灯し計測用光源素子１６が消灯しているときに、受光部７において受光される光１８の受光量が補正用受光量となり、補正用光源素子１７が消灯し計測用光源素子１６が点灯しているときに、受光部７において受光される光１９の受光量が計測用受光量となる。また、光源素子および受光素子の個数も上記の構成に限定されない。さらに、補正用受光量と計測用受光量との二種の受光量が得られるようにする限り、光源部６，受光部７のいずれも複数の光源素子、複数の受光素子を用いるようにしてもよい。
【００５３】
ここで、さらに図７の構成図および図８に示すように、成形部３の接触面３ａ上に、本発明の凸部に相当する凸部２０を設けてもよい。ここで凸部２０は、接触面３ａと段差をもち、接触面３ａと実質上平行な接触面３ｂを有し、その面上に補正用受光素子９を配している。
【００５４】
このような凸部２０を有する成形部３を用いて上記と同様の測定を行うと、この凸部２０により生体表面１上の光源部６と計測用受光素子８との間の一部の領域が、接触面３ａにより押し下げられている部分より深く押し下げられることで、接触面３ａと接触面３ｂとの段差が生体内の浅い領域を伝播してきた光２１をカットする。これにより、受光部７では生体内のより深い部分を伝播してきた光のみを受光できるようになり、皮下脂肪２の厚みの測定精度が向上する。
【００５５】
また、接触面３ａを介して圧力を加える方法は、図示しない外力を用いても良いが、成形部３の自重を利用してもよい。このとき成形部３の重量は１ｋｇ重であることが望ましい。また、本実施の形態は、体脂肪厚を測定するものとして説明を行ったが、本発明の脂肪の状態としては、体脂肪厚以外の状態を測定するものであってもよい。
【００５６】
例えば、生体の体脂肪の割合を示す体脂肪率は、生体の各部位の皮下脂肪厚と相関性があり、皮下脂肪が厚いほど、体脂肪率は増加する。しかしながら、同じ皮下脂肪厚でも、筋肉量が多いと体重は重くなり体脂肪率は低くなる。
【００５７】
そこで、入力部１３もしくは通信部１２から計測部位と体重などの情報を入力することにより、演算部１０により体脂肪率を求めることができる。演算部１０での計算には、あらかじめ体脂肪率が既知である検体を複数用意し、既定の計測部位の皮下脂肪厚を検体の重量で割った値と既知である体脂肪率との関係をグラフにプロットし、その一時金自著苦戦から求めた計算式を用いる。なお、個々で体重のほかに、身長、性別、年齢などを入力し、各条件での個別の計算式を容易することで、より高精度な体脂肪率の算出が可能となる。
【００５８】
（実施の形態２）
図９は本発明の実施の形態２における光式脂肪測定装置の構成図であり、図１０は同光式脂肪測定装置の成形部３を生体表面１と接する接触面３ａ側から見た上面図である。
【００５９】
実施の形態１と同様の部分については説明を省略し、異なる部分について説明する。生体表面１を押し下げる方向に成形する成形部３の接触面３ａ上には、さらに局所的に押し下げる凸部２２が設けられている。凸部２２も成形部３と同様遮光のために黒色ＡＢＳでできている。凸部２２の形状は幅５ｍｍ長さ５５ｍｍの、接触面３ａと平行な接触面３ｃを有し、高さ５ｍｍの段差をもって接触面３ａからせり出している。接触面３ｃ上に光源部６と受光部７とが設けられている。なお、接触面３ｃは、接触面３ａとは必ずしも平行でなくともよい。段差があればよい。受光部７は計測用受光素子８（第２の受光素子）と補正用受光素子９（第１受光素子）からなる。計測用受光素子８と光源部６との距離は４５ｍｍであり、補正用受光素子９と光源部６との距離は２２．５ｍｍであり、光源部６および各受光部７はほぼ一直線上に配置されている。なお、上記の構成において、接触面３ｃは本発明の第２の接触面に相当する。
【００６０】
実施の形態１と異なる点は、凸部２２で、接触面３ａが接触している部分より局所的に皮下脂肪２を大きく変形させるようにしている。したがって、皮下脂肪２が厚い場合は、凸部２２がない場合と比較して凸部２２の高さ分だけ薄い皮下脂肪２を計測することになる。また、皮下脂肪２が薄い場合には皮下脂肪２は変形しないので計測する皮下脂肪２の厚みは変化しない。したがって、凸部２２の高さの分だけより厚い皮下脂肪２が計測できる。
【００６１】
このときの計測用受光量と皮下脂肪厚みの関係は図１１に、皮膚の補正を行ったパラメータＹ２／Ｙ１と皮下脂肪厚みとの関係は図１２にそれぞれ示すようになり、この点線の１次回帰直線と計測用受光量もしくはパラメータＹ２／Ｙ１とを用いることにより、皮下脂肪厚を局所的に薄くして計測することができ、薄くなった皮下脂肪厚からもとの皮下脂肪厚が換算できるので、より厚い皮下脂肪厚を再現性良く高精度に測定することができ、皮下脂肪厚の測定範囲を増大させることもできる。
【００６２】
なお、上記の説明において生体は人体としたが、他の動物であってもよい。
【００６３】
【発明の効果】
以上から明らかなように、本発明によれば、脂肪の状態を再現性良く高精度に測定することができる。
【図面の簡単な説明】
【図１】本発明の実施の形態１における光式脂肪測定装置の構成図
【図２】同光式脂肪測定装置の成形部を生体表面と接する側から見た上面図
【図３】本発明の一実施の形態における光式脂肪測定装置により求めた計測用受光量と脂肪みとの関係を示すグラフ
【図４】同光式脂肪測定装置により求めたパラメータＹ２／Ｙ１と皮下脂肪厚みとの関係を示すグラフ
【図５】同実施の形態における、光源部と受光部の構成が異なる光式脂肪測定装置の構成図
【図６】同光式脂肪測定装置の成形部を生体表面と接する側から見た上面図
【図７】同実施の形態における、突起部を設けた光式脂肪測定装置の構成図
【図８】同光式脂肪測定装置の成形部を生体表面と接する側から見た上面図
【図９】本発明の他の実施の形態における光式脂肪測定装置の構成図
【図１０】同光式脂肪測定装置の成形部を生体表面と接する側から見た上面図
【図１１】同光式脂肪測定装置により求めた計測用受光量と皮下脂肪厚みとの関係を示すグラフ
【図１２】同光式脂肪測定装置により求めたパラメータＹ２／Ｙ１と皮下脂肪厚みとの関係を示すグラフ
【図１３】従来の光式脂肪測定装置の構成図
【符号の説明】
１  生体表面
２  皮下脂肪
３  成形部
４  皮膚
５  筋肉
６  光源部
７  受光部
８  計測用受光素子
９  補正用受光素子
１０  演算部
１１  表示部
１２  通信部
１３  入力部
１４  補正用受光素子が受光する光子
１５  計測用受光素子が受光する光子
１６  計測用光源素子
１７  補正用光源素子
１８  補正用光源素子からの光
１９  計測用受光素子からの光
２０  凸部
２１  生体の浅い部分を伝播する光
２２  凸部
【図１】
2004350836.tif 000003
【図２】
2004350836.tif 000004
【図３】
2004350836.tif 000005
【図４】
2004350836.tif 000006
【図５】
2004350836.tif 000007
【図６】
2004350836.tif 000008
【図７】
2004350836.tif 000009
【図８】
2004350836.tif 000010
【図９】
2004350836.tif 000011
【図１０】
2004350836.tif 000012
【図１１】
2004350836.tif 000013
【図１２】
2004350836.tif 000014
【図１３】
2004350836.tif 000015